(57)【要約】  【課題】  ストロボを駆動するための大容量のコンデンサを内蔵してもなおかつ筐体の側方の寸法を小さくしかつスマートであってデザイン性に優れたビデオカメラを提供する。  【解決手段】  ストロボ２４を有するビデオカメラにおいて、側部に膨出させたグリップ３８のほぼ下半分から底部を開閉蓋４０によって開閉自在としてテープカセット５８を交換可能に構成するとともに、グリップ３８の上半分の下端側に膨出部３９を形成し、この膨出部３９の内部であって円弧状カバー４５の内側に円柱状のストロボ用コンデンサ４４を配置することによって、大容量のコンデンサ４４を安定して配設することを可能にし、またビデオカメラをスマートで小型化することを可能にする。【選択図】  図９ 
2005286396.tif 000002
【特許請求の範囲】
【請求項１】
ストロボを有するビデオカメラにおいて、
外筐のカセット装着部の外側を手で持つ保持部とするとともに、該保持部の高さ方向の中間位置から外筐の底部にかけての領域を前記カセット装着部に対するテープカセットの着脱のための開閉蓋から構成し、
前記開閉蓋よりも上側であって前記保持部の内側に前記ストロボに対して放電を行なうコンデンサを配したことを特徴とするビデオカメラ。
【請求項２】
前記保持部の上半分の下縁の近傍であって上記開閉蓋の上縁のすぐ上の部位に前記コンデンサを配したことを特徴とする請求項１に記載のビデオカメラ。
【請求項３】
前記保持部の上半分の下縁に断面が円弧状のカバーが設けられるとともに、該カバーの内側に前記コンデンサが収納されることを特徴とする請求項２に記載のビデオカメラ。
【請求項４】
前記保持部の上半分の下端側が側方に最も大きく膨出するとともに、該膨出する部位に前記コンデンサが収納されることを特徴とする請求項２に記載のビデオカメラ。
【請求項５】
光学系で取込まれた映像を撮像素子に結像させるようにしたビデオカメラにおいて、
ストロボと、該ストロボを作動させるコンデンサとを有し、
しかも外筐の側部にグリップを兼用する開閉蓋を備え、該開閉蓋のヒンジ側であって外筐の内側に前記コンデンサを固定して収納することを特徴とするビデオカメラ。
【請求項６】
前記開閉蓋の内側にカセット装着部が設けられ、前記開閉蓋を開いて前記カセット装着部に対してテープカセットの装着を行なうことを特徴とする請求項５に記載のビデオカメラ。
【請求項７】
前記コンデンサがほぼ円柱状をなすとともに、その長さが直径の４倍以上であることを特徴とする請求項５に記載のビデオカメラ。
【請求項８】
前記コンデンサの長さが前記カセット装着部のカセットホルダの半分よりも長いことを特徴とする請求項７に記載のビデオカメラ。
【請求項９】
前記コンデンサの軸線方向の延長位置に昇圧用ＤＣ−ＤＣコンバータが配置されることを特徴とする請求項７に記載のビデオカメラ。
【請求項１０】
前記フラッシュの駆動回路を回路基板上に形成するとともに、該回路基板上のＬ字状の切欠き内に前記コンデンサが配され、しかも前記コンデンサの軸線方向の延長位置に位置するように前記回路基板上に前記ＤＣ−ＤＣコンバータが実装されることを特徴とする請求項９に記載のビデオカメラ。
【発明の詳細な説明】
【技術分野】
【０００１】
本発明はビデオカメラに係り、とくにストロボを有するビデオカメラに関する。
【背景技術】
【０００２】
例えば特開２００２−３１４８６５号公報には、レンズ群を配列した撮像レンズ鏡筒部を搭載したビデオカメラの撮像レンズ鏡筒部の光路の収束により生ずる凹部を形成する空きスペースに、また撮像レンズの鏡筒外観部のとくに上方の凹部を形成する空きスペースにコンデンサ等の電気部品を配設し、かつアクセサリー取付け金具をビデオカメラ本体の上方に設け、上記コンデンサを覆うようにアクセサリー取付け金具を保持するための金属部材を配し、これによって空きスペースの有効利用により機器本体の小型化を可能とし、外観デザインの美観を確保し、コンデンサ等の電気部品を衝撃等から保護するようにしたビデオカメラが開示されている。
【０００３】
このようなビデオカメラによれば、上記空きスペースに配されたコンデンサから成る充放電回路を利用してストロボを閃光させることが可能になり、ストロボ付きのビデオカメラを提供することが可能になる。
【０００４】
ところが鏡筒の空きスペースに大きな空間を確保することが難しく、このために空きスペースに配されるコンデンサは、その長さや直径が限られたものになり、蓄えておく電荷も制限される。従ってストロボに供給される放電時の電荷量が制限され、高い発光量のビデオカメラとすることができない。
【０００５】
そこで例えば図１１に示すように、筐体１の液晶表示パネル２が取付けられる一方の側面とは反対側の側面であって、開閉蓋３の内側にコンデンサ５を配するようにしていた。コンデンサ５は、例えば直径が１１ｍｍで長さが２６ｍｍのずんぐりした形状を有していた。またここで開閉蓋３はメカシャーシ上のカセットホルダ４の側面を覆うようにしており、この開閉蓋３を開放し、ガセットホルダ４を側部に上昇させた後にテープカセットの装着を行なうためのものである。
【０００６】
このような開閉蓋３の内側の領域にコンデンサ５を収納する構造によると、開閉蓋３の内側のポケットの部分にコンデンサ５と、ストロボの駆動回路を形成するプリント基板とを取付けなければならず、これによって開閉蓋５が重くなるとともに、とくに図１１において横方向の寸法が大きくなる欠点がある。とくに横方向の寸法が大きいと、ビデオカメラのデザインに制約を生じ、スマート化したり小型化したりすることができない問題がある。
【特許文献１】特開２００２−３１４８６５号公報
【特許文献２】特開２００３−１８６０９９号公報
【特許文献３】特開平９−２５１１８０号公報
【発明の開示】
【発明が解決しようとする課題】
【０００７】
本願発明の課題は、ストロボと、このストロボの充放電回路を構成するコンデンサとを有し、しかも上記コンデンサによって外筐の寸法が大きくならないようにしたビデオカメラを提供することである。
【０００８】
本願発明の別の課題は、ストロボを駆動するためのコンデンサの配置に工夫を施すことによって、筐体をスマートにしたビデオカメラを提供することである。
【０００９】
本願発明のさらに別の課題は、大容量のコンデンサを筐体の寸法を大きくすることなく収納できるようにしたビデオカメラを提供することである。
【００１０】
本願発明の上記の課題および他の課題は、以下に述べる発明の技術的思想およびその実施の形態によって明らかにされる。
【課題を解決するための手段】
【００１１】
本願の主要な発明は、ストロボを有するビデオカメラにおいて、
外筐のカセット装着部の外側を手で持つ保持部とするとともに、該保持部の高さ方向の中間位置から外筐の底部にかけての領域を前記カセット装着部に対するテープカセットの着脱のための開閉蓋から構成し、
前記開閉蓋よりも上側であって前記保持部の内側に前記ストロボに対して放電を行なうコンデンサを配したことを特徴とするビデオカメラに関するものである。
【００１２】
ここで前記保持部の上半分の下縁の近傍であって上記開閉蓋の上縁のすぐ上の部位に前記コンデンサを配してよい。また前記保持部の上半分の下縁に断面が円弧状のカバーが設けられるとともに、該カバーの内側に前記コンデンサが収納されてよい。また前記保持部の上半分の下端側が側方に最も大きく膨出するとともに、該膨出する部位に前記コンデンサが収納されてよい。
【００１３】
本願の別の主要な発明は、光学系で取込まれた映像を撮像素子に結像させるようにしたビデオカメラにおいて、
ストロボと、該ストロボを作動させるコンデンサとを有し、
しかも外筐の側部にグリップを兼用する開閉蓋を備え、該開閉蓋のヒンジ側であって外筐の内側に前記コンデンサを固定して収納することを特徴とするビデオカメラに関するものである。
【００１４】
ここで前記開閉蓋の内側にカセット装着部が設けられ、前記開閉蓋を開いて前記カセット装着部に対してテープカセットの装着を行なってよい。また前記コンデンサがほぼ円柱状をなすとともに、その長さが直径の４倍以上であってよい。また前記コンデンサの長さが前記カセット装着部のカセットホルダの半分よりも長いものであってよい。また前記コンデンサの軸線方向の延長位置に昇圧用ＤＣ−ＤＣコンバータが配置されてよい。また前記フラッシュの駆動回路を回路基板上に形成するとともに、該回路基板上のＬ字状の切欠き内に前記コンデンサが配され、しかも前記コンデンサの軸線方向の延長位置に位置するように前記回路基板上に前記ＤＣ−ＤＣコンバータが実装されてよい。
【００１５】
本願発明の好ましい態様は、ストロボを有するビデオカメラにおいて、側面部に膨出させたグリップのほぼ下半分から底部を開閉自在としてカセットを交換可能に構成するとともに、開閉可能な領域の上側であってグリップの上半分の下端の内部にストロボ用コンデンサを配置することによって、大容量のコンデンサを安定して配設することを可能とし、またビデオカメラをスマートでしかも小型にすることを可能にするものである。このような態様によれば、ストロボを駆動するための大容量のコンデンサを内蔵しても、なおかつ筐体のとくに側方の寸法を小さくしてスマートでかつ小型のビデオカメラが提供できるようになる。
【発明の効果】
【００１６】
本願の主要な発明は、ストロボを有するビデオカメラにおいて、外筐のカセット装着部の外側を手で持つ保持部とするとともに、該保持部の高さ方向の中間位置から外筐の底部にかけての領域をカセット装着部に対するテープカセットの着脱のための開閉蓋から構成し、開閉蓋よりも上側であって保持部の内側にストロボに対して放電を行なうコンデンサを配したものである。
【００１７】
従ってこのようなビデオカメラによれば、開閉蓋よりも上側であって保持部の内側にコンデンサを配することになり、手で持つための膨出部と対応する領域の内部にコンデンサを収納することができる。しかも開閉蓋にはコンデンサを保持させる必要がなくなるために、開閉蓋の部分の側方への突出量を小さくし、これによってスマートでかつ小型の筐体を有するビデオカメラが提供される。
【００１８】
本願の別の主要な発明は、光学系で取込まれた映像を撮像素子に結像させるようにしたビデオカメラにおいて、ストロボと、該ストロボを作動させるコンデンサとを有し、しかも外筐の側部にグリップを兼用する開閉蓋を備え、該開閉蓋のヒンジ側であって外筐の内側にコンデンサを固定して収納するようにしたものである。
【００１９】
従ってこのようなビデオカメラによれば、開閉蓋のヒンジ側であって外筐の内側にコンデンサが固定して配置されることになり、このコンデンサで蓄えられた電荷を一挙に放電することによってストロボが作動される。そして上記コンデンサが開閉蓋のヒンジ側であって外筐の内側に位置することになり、この部位がグリップの上の上側に位置するために、グリップの部分にコンデンサが内蔵されることになり、これによって扱い易くしかも側方の寸法を小型化することが可能になる。
【発明を実施するための最良の形態】
【００２０】
以下本願発明を図示の実施の形態によって説明する。本実施の形態のビデオカメラは図１および図２に示すように、ほぼ直方体状をなす筐体１０を備えている。筐体１０はその前端側に光学系１１を取付けるとともに、その背面側であって上部にはファインダ１２が取付けられる。また筐体１０の左側の側面には液晶表示パネル１３が図２に示すように開閉自在に取付けられる。
【００２１】
液晶表示パネル１３を図２に示すように開くと、その先端側の内面にはバックライト釦１６と録画釦１７とが配される。また上記液晶表示パネル１３を開いたときに露出する筐体１０の外側部にはスピーカ１８が取付けられる。また筐体１０の背面側には半導体メモリ挿入口１９が形成される。また筐体１０の背面側にはこのビデオカメラを駆動するための電源を構成するバッテリパック２０が取付けられる。またバッテリパック２０の左下部にはこのバッテリパック２０の容量の残量を示すチャージ量表示部２１が設けられている。
【００２２】
また筐体１０の上部であって光学系１１の上側には、図１に示すようにフラッシュを構成するストロボ２４が取付けられる。またこのストロボ２４の後側にはアクセサリシュー２５が取付けられる。アクセサリシュー２５は不使用時にシューカバー２６によって覆われる。またアクセサリシュー２５の後側にズームレバー２７が配され、このズームレバー２７によって光学系１１をズーム動作をさせるようにしている。また筐体１０の光学系１１の下側にはマイクロホン２８が取付けられる。
【００２３】
次に液晶表示パネル１３が取付けられる側面とは反対側の側面には、図３に示すように電源スイッチ３２が取付けられる。そしてこの電源スイッチ３２の斜め下方に録画釦３３が配される。また電源スイッチ３２を備える側面であって前方側の部分には複数のジャック３４が配設されるとともに、ジャック３４はジャックカバー３５によって覆われるようになっている。また上記ジャック３４が設けられる領域の後側にはグリップベルト３６が取付けられる。
【００２４】
上記グリップベルト３６が取付けられる筐体１０の外側部がグリップを構成する保持部３８になっている。そしてこの保持部３８はその下端側が膨出部３９になっている（図７〜図９参照）。すなわち保持部３８の下端側の部分が側方に突出して膨出部３９を構成し、グリップの一部を構成している。上記保持部３８の膨出部３９の下側が開閉蓋４０から構成される。開閉蓋４０は図５および図６に示すように、開閉自在であってかつ後述するようにテープカセット５８の着脱を行なうための開口を形成するようになっている。
【００２５】
そしてこの開閉蓋４０の上縁が図７に示すように側方に突出する膨出部４１になっている。開閉蓋４０を閉じると図７Ｃおよび図９に示すように、この開閉蓋４０の膨出部４１が保持部３８の下端の膨出部３９とほぼ連続し、これによってグリップ３８が形成される。なお開閉蓋４０の下面には図４に示すようにエジェクト釦４２が設けられ、このエジェクト釦４２を摺動操作することによって、開閉蓋４０のロックが解除されてこの開閉蓋４０が図５および図６に示すように開かれるようになっている。
【００２６】
上記保持部３８の内側であってとくに膨出部３９の内側に対応する領域に図７〜図９に示すようにコンデンサ４４が配される。このコンデンサ４４は上記ストロボ２４の駆動のための充放電回路を構成するものである。そしてコンデンサ４４を覆うように膨出部３９の下縁には円弧状カバー４５が連設される。
【００２７】
上記コンデンサ４４は図１０に示すようにプリント基板４６のＬ字状切欠き４７の部分に保持されるようになっている。プリント基板４６は図１０に示すように電子部品４８を実装し、さらに昇圧用のＤＣ−ＤＣコンバータ４９を実装している。これらの電子部品４８やＤＣ−ＤＣコンバータ４９と上記コンデンサ４４とによってストロボ２４の駆動回路が形成される。
【００２８】
次に開閉蓋４０の内側の構造を図７によって説明する。筐体１０内には垂直にメカシャーシ５２が配されるとともに、このメカシャーシ５２上にヘッドドラム５３が取付けられる。そしてヘッドドラム５３に対して近接および離間自在にメカシャーシ５２上にスライドシャーシ５４が設けられる。スライドシャーシ５４は昇降リンク５５、５６によってカセットホルダ５７を昇降自在に支持している。カセットホルダ５７はテープカセット５８を収納した状態で昇降リンク５５、５６の回動動作によって図７Ｂに示すように下降し、この後にスライドシャーシ５４をヘッドドラム５３に近接する方向に移動させることによって、このテープカセット５８の前面側のカセット蓋が開くとともに、内部に巻装された磁気テープがヘッドドラム５３の外周面上に架装されるようになっている。
【００２９】
上記カセットホルダ５７によるカセット装着部を開閉自在に覆う開閉蓋４０はとくに図７および図９に示すように、この開閉蓋４０の内側のフレーム６１と連結されたアーム６２を備えている。そしてアーム６２は上記膨出部３９の内側に位置する支点ピン６３（図９参照）によって開閉自在に支持されており、上記支点ピン６３を中心としてアーム６２を回動させることにより開閉蓋４０が開かれるようになっている。そして上記開閉蓋４０と筐体１０との間には一対のリンク６５、６６が連結され、これらのリンク６５、６６によって開閉蓋４０の最大開放位置が設定されるようになっている。
【００３０】
一般にビデオカメラであってその側部の一部にグリップを構成する保持部３８を形成する場合には、手の指と掌との間の部分に接する部分を側方に膨出させておくと、良好な触感のグリップ３８になる。そこで本実施の形態においては、開閉蓋４０のすぐ上の膨出部３９と開閉蓋４０の上縁の膨出部４１とによって側方に膨出する保持部３８を形成しており、これによって扱い易い筐体１０を有するビデオカメラにしている。
【００３１】
しかも上記グリップ３８を構成する膨出部３９と開閉蓋４０の上縁の膨出部４１の内のとくに筐体の固定側の膨出部３９の内側に図７〜図９に示すようにコンデンサ４４を配している。すなわち側方に膨出させることによって生ずる保持部３８の内側のデッドスペースの部分を有効に利用してコンデンサ４４を収納保持することが可能になる。従って従来の図１１に示す構造に比べて、コンデンサ４４を収納することによる側方への突出量が非常に少なくなり、これによってビデオカメラの筐体１０の幅方向の寸法が小さくてスマートなビデオカメラとすることができる。またビデオカメラの側方の寸法を小型化することによって、筐体のデザイン性を大幅に改善することが可能になり、これによってデザイン性に優れたビデオカメラになる。
【００３２】
本実施形態においては図１０に示すように、コンデンサ４４としてカセットホルダ５７の幅の半分よりも長く、例えばその長さが４０ｍｍであって直径が約９．０ｍｍのコンデンサを用いるようにしている。このように直径に対して長さを３倍以上、より好ましくは４倍以上に設定すると、大容量であってしかもスマートで小型のコンデンサ４４とすることが可能になり、このために膨出部３９内に十分に収納可能であってしかも大容量のコンデンサとすることができる。しかもコンデンサ４４の軸線方向の延長位置に図１１に示すようにＤＣ−ＤＣコンバータ４９を配しているために、ＤＣ−ＤＣコンバータ４９によって側部の寸法が大きくならない。従ってこのようなコンデンサ４４を備える充放電回路によって、ストロボ２４によって十分な光量の閃光を発生することが可能になる。しかもこのようなコンデンサ４４は膨出部３９の円弧状カバー４５の内側に位置しているために、コンデンサ４４あるいはコンデンサ４４を備えるプリント基板４６上の充放電回路とテープカセット５８とが干渉することがなくなる。
【００３３】
以上本願発明を図示の実施の形態によって説明したが、本願発明は上記実施の形態によって限定されることなく、本願発明の技術的思想の範囲内において各種の変更が可能である。すなわち例えば各種の操作釦の配置等については任意に設計変更可能である。またストロボ２４の取付け位置についても、別の位置としてもよい。
【産業上の利用可能性】
【００３４】
本願発明はストロボを有するビデオカメラに広く利用可能である。
【図面の簡単な説明】
【００３５】
【図１】ビデオカメラの外観斜視図である。
【図２】液晶表示パネルを開いたときの同ビデオカメラの外観斜視図である。
【図３】グリップベルトを備える側面側のビデオカメラの外観斜視図である。
【図４】開閉蓋によって一部が開放される底部側の部分のビデオカメラの外観斜視図である。
【図５】テープカセットの装着動作を示すビデオカメラの外観斜視図である。
【図６】開閉蓋の閉鎖動作を示すビデオカメラの外観斜視図である。
【図７】テープカセットの装着動作を示すメカデッキの要部縦断面図である。
【図８】コンデンサの配置を示すビデオカメラの側面図である。
【図９】同ビデオカメラの縦断面図である。
【図１０】コンデンサを備える充放電回路の斜視図である。
【図１１】従来のビデオカメラの縦断面図である。
【符号の説明】
【００３６】
１‥‥筐体、２‥‥液晶表示パネル、３‥‥開閉蓋、４‥‥カセットホルダ、５‥‥コンデンサ、１０‥‥筐体、１１‥‥光学系、１２‥‥ファインダ、１３‥‥液晶表示パネル、１６‥‥バックライト釦、１７‥‥録画釦、１８‥‥スピーカ、１９‥‥半導体メモリ挿入口、２０‥‥バッテリパック、２１‥‥チャージ量表示部、２４‥‥ストロボ（フラッシュ）、２５‥‥アクセサリシュー、２６‥‥シューカバー、２７‥‥ズームレバー、２８‥‥マイクロホン、３２‥‥電源スイッチ、３３‥‥録画釦、３４‥‥ジャック、３５‥‥ジャックカバー、３６‥‥グリップベルト、３８‥‥保持部（グリップ）、３９‥‥膨出部、４０‥‥開閉蓋、４１‥‥膨出部、４２‥‥エジェクト釦、４４‥‥コンデンサ、４５‥‥円弧状カバー、４６‥‥プリント基板、４７‥‥Ｌ字状切欠き、４８‥‥電子部品、４９‥‥ＤＣ−ＤＣコンバータ、５２‥‥メカシャーシ、５３‥‥ヘッドドラム、５４‥‥スライドシャーシ、５５、５６‥‥昇降リンク、５７‥‥カセットホルダ、５８‥‥テープカセット、６１‥‥フレーム、６２‥‥アーム、６３‥‥支点ピン、６５、６６‥‥リンク
【図１】
2005286396.tif 000003
【図２】
2005286396.tif 000004
【図３】
2005286396.tif 000005
【図４】
2005286396.tif 000006
【図５】
2005286396.tif 000007
【図６】
2005286396.tif 000008
【図７】
2005286396.tif 000009
【図８】
2005286396.tif 000010
【図９】
2005286396.tif 000011
【図１０】
2005286396.tif 000012
【図１１】
2005286396.tif 000013